(57)【要約】【課題】腰痛治癒器やゴルフ練習器等に利用されるカップ状体幹増強冶具または平板状体幹増強冶具を提供する。【解決手段】円形天板と、側壁と、底部と、を含んでなるカップ状体幹増強冶具、あるいは、少なくとも２枚の凸状円盤を組み合わせてなる平板状体幹増強冶具であって、カップ状体幹増強冶具の場合、円形天板の直径を３０〜１５０ｍｍとし、かつ、側壁の高さを２０〜５０ｍｍとし、平板状体幹増強冶具の場合、凸状円盤の直径を３０〜１５０ｍｍとし、かつ、凸状円盤の厚さを５〜２０ｍｍとする。【選択図】図１
2014188123.tif 000002
【特許請求の範囲】
【請求項１】
円形天板と、側壁と、底部と、を含んでなるカップ状体幹増強冶具であって、
前記円形天板の直径を３０〜１５０ｍｍの範囲内の値とし、かつ、前記側壁の高さを２０〜５０ｍｍの範囲内の値とすることを特徴とするカップ状体幹増強冶具。
【請求項２】
前記円形天板が、中心に向かって、凸状に湾曲していることを特徴とする請求項１に記載のカップ状体幹増強冶具。
【請求項３】
前記円形天板の表面に、同心円状の溝またはライン状突起が設けてあることを特徴とする請求項１または２に記載のカップ状体幹増強冶具。
【請求項４】
前記側壁に、補強用リブが設けてあることを特徴とする請求項１〜３のいずれか一項に記載のカップ状体幹増強冶具。
【請求項５】
前記円形天板、前記側壁、および前記底部の少なくとも一つが、ポリカーボネート樹脂を主成分として、構成されていることを特徴とする請求項１〜４のいずれか一項に記載のカップ状体幹増強冶具。
【請求項６】
前記円形天板の上面および前記底部の下端、あるいは、いずれか一方に、滑りとめ部材が設けてあることを特徴とする請求項１〜５のいずれか一項に記載のカップ状体幹増強冶具。
【請求項７】
少なくとも２枚の凸状円盤を組み合わせてなる平板状体幹増強冶具であって、
前記凸状円盤の直径を３０〜１５０ｍｍの範囲内の値とし、かつ、前記凸状円盤の厚さを５〜２０ｍｍの範囲内の値とすることを特徴とする平板状体幹増強冶具。
【請求項８】
前記２枚の凸状円盤が、それぞれ相互に嵌合する溝またはライン状突起を有することを特徴とする請求項７に記載の平板状体幹増強冶具。
【発明の詳細な説明】
【技術分野】
【０００１】
本発明は、カップ状体幹増強冶具および平板状体幹増強冶具に関し、特に、腰痛治癒器やゴルフ練習器等に好適なカップ状体幹増強冶具および平板状体幹増強冶具に関する。
【背景技術】
【０００２】
従来、体幹機能調整器具や、それを利用してなる腰痛治癒器や、ゴルフ練習器等が各種提案されている。
すなわち、低コスト且つ簡素な構造でありながら体幹機能を効果的に調整することが可能な体幹機能調整器具であって、下半身を静止・載置した状態で下半身に対して上半身を左右に揺らすことで、体幹機能を調整する体幹機能調整器具が提案されている（例えば、特許文献１参照）。
より具体的には、図５に示すように、上半身ｍ１０１を載せる上半身載せ台１０１と、上半身載せ台１０１を支持する基台１０２と、上半身載せ台１０１と基台１０２との間に設けられ、上半身載せ台１０１を基台１０２に対して回転可能に支持する支軸１０３と、臀部ｍ１２１を載せる臀部載置部ｍ１０４ａ及び当該臀部載置部ｍ１０４ａよりも高い位置で脚部ｍ１２２を載せる脚部載置部１０４ｂを有する下半身載せ台１０４とを備え、上半身載せ台１０１に上半身ｍ１０１を載せ、下半身載せ台１０４の臀部載置部ｍ１０４ａに臀部ｍ１２１を載せるとともに脚部載置部１０４ｂに脚部ｍ１２２を載せた状態で、上半身載せ台１０１を下半身載せ台１０４に対して左右に揺動させる構成の腰痛治療・矯正装置１００である。
【０００３】
一方、体幹のみならず、腕によるクラブヘッドの操作感覚を効率的に鍛えられるゴルフスイング練習用具が提案されている（例えば、特許文献２参照）。
より具体的には、図６に示すように、球体状の錘部２２０と、グリップ部２３０と、グリップエンド２４０と、が一体に成形され、全重量が３ｋｇ以上であるとともに、全長が３００ｍｍ以下のゴルフスイング練習用具２１０であって、下記特徴１）〜３）を有していた。
１）球体状の錘部２２０の重心が、グリップ部２３０の長手方向の軸線（Ａ）上にある。２）グリップ部２３０は、長手方向の長さが１６０〜２２０ｍｍ、外径が１８〜３５ｍｍであり、その長手方向の中央部からグリップエンド２４０にかけて、徐々に太径になっている。
３）グリップエンド２４０は、グリップ部２３０の最大外径よりもさらに大きい最大外径を有している。
【先行技術文献】
【特許文献】
【０００４】
【特許文献１】特開２００９−２６８８６６号公報
【特許文献２】特開２０１２−６５９１２号公報
【発明の概要】
【発明が解決しようとする課題】
【０００５】
しかしながら、特許文献１に開示された腰痛治療・矯正装置は、少なくとも上半身載せ台と、上半身載せ台を支持する基台と、上半身載せ台を基台に対して回転可能に支持する支軸と、臀部載置部及び脚部載置部を有する下半身載せ台と、が必要であって、その上、上半身載せ台を揺動させる装置まで必要になって、大型化、重量化のため、容易に移動することができず、さらには、上半身を寝ながら揺動するだけでは、使用効果が短期間では得られにくいという問題があった。
【０００６】
また、特許文献２に開示されたゴルフスイング練習用具は、腕によるクラブヘッドの操作感覚の向上に着目したものであるが、体全体の体幹を使ったゴルフスイング練習にまでは至らないという問題が見られた。
その上、ゴルフスイング練習用具の全重量が、３ｋｇ以上と重くて、持ち運びや保管そのものが不便であるという問題も見られた。
【０００７】
そこで、本発明者らは、このような問題を鋭意検討した結果、軽量かつ簡易構成の体幹増強冶具であっても、基本的にバランスをとりながら、その上に乗るだけで、体幹が効果的かつ短時間で鍛えられて、その結果、腰痛が治癒したり、ゴルフスイングの軌道が安定したりするなどの効果が得られるという事実を見出し、本発明を完成させたものである。
すなわち、本発明は、腰痛治癒器やゴルフ練習器等に好適なカップ状体幹増強冶具および平板状体幹増強冶具を提供することを目的とする。
【課題を解決するための手段】
【０００８】
本発明によれば、円形天板と、側壁と、底部と、を含んでなるカップ状体幹増強冶具であって、円形天板の直径を３０〜１５０ｍｍの範囲内の値とし、かつ、側壁の高さを２０〜５０ｍｍの範囲内の値としたカップ状体幹増強冶具が提供され、上述した問題を解決することができる。
すなわち、このようなカップ状体幹増強冶具であれば、基本的にバランスをとりながら、その上に乗るだけで、体幹が効果的に鍛えられて、その結果、腰痛が治癒したり、ゴルフスイングの軌道が安定したりするなどの効果を得ることができる。
また、このようなカップ状体幹増強冶具であれば、製造や移動が容易であって、かつ、安価で経済的に有利な製品とすることができる。
【０００９】
また、本発明のカップ状体幹増強冶具を構成するにあたり、円形天板が、中心に向かって、凸状に湾曲していることが好ましい。
このような形態の円形天板とすることにより、さらに体幹を意識しながらバランスをとることができるため、比較的短時間で、腰痛が治癒したり、ゴルフスイングの軌道が安定したりするなどの効果を得ることができる。
【００１０】
また、本発明のカップ状体幹増強冶具を構成するにあたり、円形天板の表面に、同心円状の溝またはライン状突起が設けてあることが好ましい。
このような形態の円形天板とすることにより、当該円形天板の上に乗った場合に、滑りにくくなって、さらに体幹を意識しながらバランスをとることができる。
【００１１】
また、本発明のカップ状体幹増強冶具を構成するにあたり、側壁に、補強用リブが設けてあることが好ましい。
このような補強用リブを設けることにより、カップ状体幹増強冶具の縦方向の機械的強度を飛躍的に向上させることができる。
また、補強用リブの下面もまた、カップ状体幹増強冶具の縁とともに、接地面（床等）に接触することになり、カップ状体幹増強冶具の安定性を向上させることができる。
【００１２】
また、本発明のカップ状体幹増強冶具を構成するにあたり、円形天板、側壁、および底部の少なくとも一つが、ポリカーボネート樹脂を主成分として、構成されていることが好ましい。
このような樹脂を主成分として用いることにより、カップ状体幹増強冶具の機械的強度や耐久性等を、他の樹脂と比較して、飛躍的に向上させることができる。
【００１３】
また、本発明のカップ状体幹増強冶具を構成するにあたり、円形天板の上面および底部の下端、あるいは、いずれか一方に、滑りとめ部材が設けてあることが好ましい。
このように滑りとめ部材を設けることにより、円形天板の上に乗った場合に、カップ状体幹増強冶具の上で滑りにくくなって、さらに体幹を意識しながらバランスをとることができる。
【００１４】
また、本発明の別の態様は、少なくとも２枚の凸状円盤を組み合わせてなる平板状体幹増強冶具であって、凸状円盤の直径を３０〜１５０ｍｍの範囲内の値とし、かつ、凸状円盤の厚さを５〜２０ｍｍの範囲内の値とすることを特徴とする平板状体幹増強冶具である。
すなわち、所定形態の平板状体幹増強冶具とすることにより、複数枚を積み重ねて使用することができ、体幹の強靭さや、ゴルフの習熟度等に合わせて、高さ調整することができる。
【００１５】
また、本発明の平板状体幹増強冶具を構成するにあたり、２枚の凸状円盤が、それぞれ相互に嵌合する溝またはライン状突起を有することが好ましい。
このように嵌合する溝またはライン状突起を設けることにより、複数の凸状円盤からなる平板状体幹増強冶具の位置ずれを防止し、安定性を向上させることができる。
【図面の簡単な説明】
【００１６】
【図１】図１（ａ）〜（ｄ）は、本発明のカップ状体幹増強冶具における態様を説明するために供する図である。
【図２】図２（ａ）〜（ｄ）は、本発明の別なカップ状体幹増強冶具における態様を説明するために供する図である。
【図３】図３（ａ）〜（ｄ）は、平板状体幹増強冶具における凸状円盤の態様を説明するために供する図である。
【図４】図４（ａ）〜（ｄ）は、平板状体幹増強冶具における凸状円盤の態様を説明するために供する図である。
【図５】図５は、従来の腰痛治療器を説明するために供する図である。
【図６】図６は、従来のゴルフ練習装置を説明するために供する図である。
【発明を実施するための形態】
【００１７】
[第１の実施形態]
第１の実施形態は、図１（ａ）〜（ｄ）等に例示するように、円形天板１２と、側壁１４と、底部１８と、を含んでなるカップ状体幹増強冶具１０であって、円形天板１２の直径を３０〜１５０ｍｍの範囲内の値とし、かつ、側壁１４の高さを２０〜５０ｍｍの範囲内の値とすることを特徴とするカップ状体幹増強冶具１０である。
なお、図１（ａ）が、カップ状体幹増強冶具１０の上面図、図１（ｂ）が、カップ状体幹増強冶具１０の側面図、図１（ｃ）が、カップ状体幹増強冶具１０の裏面図、および、図１（ｄ）が、カップ状体幹増強冶具１０の斜視図である。
以下、第１の実施形態のカップ状体幹増強冶具１０につき、適宜図面を参照して、具体的に説明する。
【００１８】
１．円形天板
（１）直径
第１の実施形態のカップ状体幹増強冶具１０において、図１（ｂ）に示すように、円形天板１２の直径（Ｌ）を３０〜１５０ｍｍの範囲内の値とすることを特徴とする。
この理由は、このような円形天板の直径であれば、乗りやすさと、体幹増強効果とのバランスが良好になるためである。
より具体的には、円形天板の直径が３０ｍｍ未満の値になると、体幹が相当強化された人であっても、カップ状体幹増強冶具に乗って、静止すること自体、困難となるためである。
一方、円形天板の直径が１５０ｍｍを超えると、乗って、容易に静止できるため、あえてバランスを取る必要が無くなり、体幹増強効果が得られないためである。
したがって、円形天板の直径を５０〜１２０ｍｍの範囲内の値とすることがより好ましく、７０〜１１０ｍｍの範囲内の値とすることがさらに好ましい。
【００１９】
（２）厚さ
また、円形天板の厚さを０．５〜１２ｍｍの範囲内の値とすることが好ましい。
この理由は、このような円形天板の厚さであれば、機械的強度や耐久性と、製造容易さとのバランスが良好になるためである。
より具体的には、円形天板の厚さが０．５ｍｍ未満の値になると、カップ状体幹増強冶具の機械的強度や耐久性が著しく低下する場合があるためである。
一方、円形天板の厚さが１２ｍｍを超えると、ボイドが発生したりして、射出成型等による安定的な製造が困難となる場合があるためである。
したがって、円形天板の厚さを１〜１０ｍｍの範囲内の値とすることがより好ましく、３〜８ｍｍの範囲内の値とすることがさらに好ましい。
【００２０】
（３）材質
また、円形天板が、ポリカーボネート樹脂を主成分として、構成されていることが好ましい。
この理由は、このようにポリカーボネート樹脂を主成分として用いることにより、カップ状体幹増強冶具の機械的強度や耐久性等を、他の樹脂と比較して、飛躍的に向上させることができるためである。
したがって、例えば、引張り弾性率（ＩＳＯ５２７準拠測定）が、１５００〜３０００ＭＰａ、ＩＺＯＤ衝撃強度（ノッチ付き、ＩＳＯ１８０準拠測定）が、５０〜１００ＫＪ／ｍ2、ガラス転移点（ＩＳＯ１１３５７準拠測定）が、１２０〜１６０℃であるポリカーボネート樹脂を用いることが好ましい。
【００２１】
また、ポリカーボネート樹脂単体であると透明性に富んだカップ状体幹増強冶具が得られるが、汚れが目立たず、加水分解性を向上させたり、印刷性や装飾性を向上させたりすることができることから、各種添加剤を配合することが好ましい。
より具体的には、各種添加剤として、着色剤、加水分解防止剤、無機フィラー、有機フィラー、ガラスファイバー、カーボンファイバー、導電材料、紫外線吸収剤、酸化防止剤、流動化剤、粘度調整剤等の一種単独または二種以上の組み合わせが挙げられる。
なお、各種添加剤の配合量に関し、全体量に対して、例えば、０．０１〜１０重量％の範囲内の値とすることが好ましく、０．１〜８重量％の範囲内の値とすることがより好ましく、０．５〜５重量％の範囲内の値とすることがさらに好ましい。
【００２２】
（４）形態
また、円形天板の形態は、図１（ａ）等に示すように、基本的に円形であれば、若干の形態変更は可能であるが、円形に類する四角形、五角形、六角形、八角形、十角形、十二角形、二重角形、楕円形等であることも好ましい。
また、円形天板の形態としては、下方に位置する側壁や底部と、別体であっても良いし、あるいは、円形天板と、側壁と、底部と、が一体的に構成されてなる形態であっても良い。
【００２３】
（５）滑り止め部材
また、図１（ａ）等に示すように、円形天板１２の上面に、滑り止め部材１２ｂが設けてあることが好ましい。
この理由は、このように滑り止め部材１２ｂを設けることにより、円形天板の上に乗った場合に、カップ状体幹増強冶具の上で滑りにくくなって、さらに体幹を意識しながらバランスをとることができるためである。
すなわち、円形天板の上面（表面）に、滑り止め部材として、厚さ１〜１０ｍｍのゴム層、粘着剤層、クッション樹脂層、あるいは、高さ５〜１０ｍｍの表面凹凸、例えば、同心円状の溝またはライン状突起や、円錐状突起を設けることが好ましい。
したがって、このような形態の円形天板とすることにより、当該円形天板の上に乗った場合に、滑りにくくなって、さらに体幹を意識しながらバランスをとることができる。
【００２４】
２．側壁
（１）高さ
また、図１（ｂ）に示すように、側壁１４の高さ（Ｈ）を２０〜８０ｍｍの範囲内の値とすることを特徴とする。
この理由は、このような側壁の高さであれば、乗りやすさと、体幹増強効果とのバランスが良好になるためである。
より具体的には、側壁の高さが２０ｍｍ未満の値になると、人によっては、足のつま先あるいは、踵が接地面についてしまい、あえてバランスを取る必要が無くなって、体幹増強効果が得られないためである。
一方、側壁の高さが８０ｍｍを超えると、カップ状体幹増強冶具に乗って、静止すること自体、困難となるためである。
したがって、側壁の高さを２５〜６０ｍｍの範囲内の値とすることがより好ましく、３０〜５０ｍｍの範囲内の値とすることがさらに好ましい。
【００２５】
（２）厚さ
また、側壁の厚さを０．５〜１２ｍｍの範囲内の値とすることが好ましい。
この理由は、このような側壁の厚さであれば、機械的強度や耐久性と、製造容易さとのバランスが良好になるためである。
より具体的には、側壁の厚さが０．５ｍｍ未満の値になると、カップ状体幹増強冶具の機械的強度や耐久性が著しく低下する場合があるためである。
一方、側壁の厚さが１２ｍｍを超えると、ボイドが発生したりして、射出成型等による安定的な製造が困難となる場合があるためである。
したがって、側壁の厚さを１〜１０ｍｍの範囲内の値とすることがより好ましく、３〜８ｍｍの範囲内の値とすることがさらに好ましい。
【００２６】
（３）材質
また、側壁の材質については、上述したように、円形天板と同様に、ポリカーボネート樹脂を主成分として、構成されていることが好ましく、各種添加剤を配合することも好ましい。
いずれにしても、側壁の材質については、上述した円形天板の材質と、同様とすることができるので、ここでの再度の説明を省略する。
【００２７】
（４）形態
また、側壁の形態につき、所定の作用効果を発揮することができる限り、各種形態に変形することができる。
例えば、側壁の斜度を、鉛直方向に対して、１〜６０°の範囲内の値とすることが好ましく、１０〜４５°の範囲内の値とすることがより好ましく、１５〜３０°の範囲内の値とすることがさらに好ましい。
【００２８】
（５）補強用リブ
また、図１（ａ）等に示すように、側壁１４に、補強用リブ１６が設けてあることが好ましい。
この理由は、このように、円形天板や側壁から、側方に突出した補強用リブを設けることにより、カップ状体幹増強冶具の縦方向の機械的強度を向上させることができるためである。
また、このような補強用リブを設けると、当該補強用リブの下面の一部もまた、カップ状体幹増強冶具の底部とともに、配置面（床等）に接触することになり、カップ状体幹増強冶具の安定性を向上させることができるためである。
【００２９】
そして、図１（ｂ）等の側面図から理解できるように、補強用リブを垂直方向に切断し、それを横から眺めた場合の断面形状を、概ね直角三角形とすることが好ましい。
この理由は、このような断面形状を有する補強用リブとすることによって、カップ状体幹増強冶具の下方の重量が増して、配置安定性が向上するとともに、縦方向の機械的強度をさらに飛躍的に向上させることができるためである。
【００３０】
なお、補強用リブの数は、カップ状体幹増強冶具の大きさや側壁の高さ等を考慮して定めることが好ましいが、通常、２〜１２個の範囲内の値であることが好ましく、４〜１０個の範囲内の値であることがより好ましい。
その上、このような複数の補強用リブ１８を設ける場合、図１（ａ）の上面図から理解されるように、寸胴状の側壁１４の周囲に沿って、対称的に、かつ、均等配置することが好ましい。
【００３１】
（６）滑り止め部材
また、図示しないものの、側壁の下面に、滑りとめ部材が設けてあることが好ましい。
この理由は、このように滑りとめ部材を設けることにより、円形天板の上に乗った場合に、カップ状体幹増強冶具自体が滑りにくくなって、さらに体幹を意識しながらバランスをとることができるためである。
すなわち、側壁の下面に、滑りとめ部材として、厚さ１〜１０ｍｍのゴム層、粘着剤層、クッション樹脂層を設けることが好ましい。
したがって、このような形態の側壁とすることにより、カップ状体幹増強冶具の上に乗った場合に、カップ状体幹増強冶具自体が滑りにくくなって、さらに体幹を意識しながらバランスをとることができる。
【００３２】
３．底部
また、図１（ａ）等に示すように、カップ状体幹増強冶具１０の側壁１４の下方に底部１６が設けてあることを特徴とする。
すなわち、かかる底部１６が、カップ状体幹増強冶具１０を配置する部材、例えば、床等としっかりと接触し、カップ状体幹増強冶具１０を滑りにくくすることができる。
ここで、かかる底部は、寸胴状の側壁の下方の縁に沿って設けられるため、補強用リブが設けられていない場合には、側壁に続いてなる縁部と見ることができ、ドーナツ状平板となる。
一方、図１（ｃ）のカップ状体幹増強冶具１０の裏面図に示すように、側壁１４の下方に、補強用リブ１８が設けられている場合には、それに対応して、底部１６は、切り欠け１８ａを有するドーナツ状平板となる。
【００３３】
また、底部の厚さを、通常、０．５〜１０ｍｍの範囲内の値とすることが好ましい。
この理由は、このような底部の厚さであれば、機械的強度や耐久性と、製造容易さとのバランスが良好になるためである。
より具体的には、底部の厚さが０．５ｍｍ未満の値になると、カップ状体幹増強冶具の機械的強度や耐久性が著しく低下する場合があるためである。
一方、底部の厚さが１０ｍｍを超えると、射出成型等による安定的な製造が困難となる場合があるためである。
したがって、底部の厚さを１〜８ｍｍの範囲内の値とすることがより好ましく、３〜６ｍｍの範囲内の値とすることがさらに好ましい。
なお、底部１６を構成する材質は、側壁１４の材質と同様に、上述した円形天板の材質と、同様とすることができるので、ここでの再度の説明を省略する。
【００３４】
４．使用方法
（１）静止状態におけるバランス維持方法１
カップ状体幹増強冶具の使用方法は特に制限されるものでは無いが、例えば、二つのカップ状体幹増強冶具を準備し、その上に両足で乗って、所定時間、静止状態におけるバランスを取り続けるという使用方法がある。
このようにカップ状体幹増強冶具の上に乗って、静止した場合、体幹に関係する重心が自然と定まることになる。そして、その静止状態を維持しようとすると、すなわち、重心を安定させて静止しようしても、体幹が弱いとふらつき始めて、最後に、カップ状体幹増強冶具の上から落ちることになる。
よって、カップ状体幹増強冶具の上に再度乗って、静止状態のバランスを取り続ける動作を繰り返すことにより、自然と重心位置が意識され、ひいては、体幹が強化され、長時間であってもバランスをとりながら、カップ状体幹増強冶具の上に乗ることができるようになる。
すると、体幹が強化された関係で、腰痛が治癒されたり、立ち仕事で、腰に荷重がかかるような仕事をした場合であっても、それに、比較的長時間耐えうることになる。
さらに言えば、体幹が強化された関係で、ゴルフスイングの軌道が安定することから、ゴルフボールの飛距離が伸びる半面、曲がりが少なくなって、要するに、好スコアにつながりやすくなる。
なお、カップ状体幹増強冶具の上に乗って、静止状態にするとは、必ずしも立ったままでいる必要はなく、足ふみをすることによって、カップ状体幹増強冶具によるつぼ押し効果も増強され、さらに体幹強化や腰痛治療に資することができる。
【００３５】
（２）静止状態におけるバランス維持方法２
また、更なる使用方法として、円形天板の直径や、側壁の高さが異なる複数種のカップ状体幹増強冶具を準備し、それらに乗って、所定時間、静止状態におけるバランスを取り続けるという使用方法がある。
すなわち、体幹が弱いと、円形天板の直径が比較的大きなカップ状体幹増強冶具（例えば、１０ｃｍ）のみにおいて、静止状態が保持することができる。その場合、そのまま所定時間経過するまで、重心位置の認識や体幹が意識しながら、静止状態のバランスを取り続ける。
次いで、短期間で体幹が強化されるので、円形天板の直径がより小さいカップ状体幹増強冶具（例えば、８ｃｍ）に変えるとともに、それに乗って、そのまま所定時間経過するまで、重心位置の認識や体幹が意識しながら、静止状態のバランスを取り続ける。
さらに、円形天板の直径がさらに小さいカップ状体幹増強冶具（例えば、６ｃｍ）に変えるとともに、それに乗って、そのまま所定時間経過するまで、重心位置の認識や体幹が意識しながら、静止状態のバランスを取り続ける。
よって、このようにステップを踏んで、バランスが取りやすいカップ状体幹増強冶具から、バランスが取りにくいカップ状体幹増強冶具に変えることにより、無理なく重心位置の認識や体幹が強化されることになる。
【００３６】
（３）体重移動におけるバランス維持方法
また、別な使用方法として、二つのカップ状体幹増強冶具を準備し、それらの上に、両足で乗り、さらには、左右に重心を繰り返し移動させて、バランス維持を図るという方法がある。
このようにカップ状体幹増強冶具の上で、左右の足を中心にして、それぞれ体重を交互に移動させることは、すなわち、ゴルフクラブをスイングプレーンに沿って振る際の動作と重なることになる。
したがって、左右の足を中心にして、それぞれスムーズに体重移動ができるようになれば、体幹が強化されて、まさに、ゴルフのスイング軌道が定まり、その結果、ゴルフボールの直進進行性や飛距離が伸びることになる。
一方、体感が弱いと、カップ状体幹増強冶具の上に静止できないばかりか、左右の足を中心にして、それぞれスムーズに体重移動ができないことになる。
すなわち、重心を左右に移動させた場合、体幹が弱いとふらつき始めて、最後に、カップ状体幹増強冶具の上から降りてしまうことになる。
なお、体重移動におけるバランス維持方法において、一つのカップ状体幹増強冶具を準備し、右足または左足のみ、それに載せて、バランスをとる使用方法も有効である。
【００３７】
（４）乗り降り動作におけるバランス維持方法
また、更なる使用方法として、二つのカップ状体幹増強冶具を準備し、所定時間、それに両足で乗ったり、あるいは、所定時間経過後、バランス状態を維持したまま、降りたりするという、乗り降り動作におけるバランス維持方法がある。
このようにカップ状体幹増強冶具の上に乗ったり、降りたりする動作を繰り返すことによっても、体幹に関係する重心が自然と定まることになる。そして、所定時間乗っている間に、静止状態を維持しようとすると、すなわち、重心を安定させて静止しようしても、体幹が弱いとふらつき始めて、最後に、カップ状体幹増強冶具の上から降りることになる。
よって、カップ状体幹増強冶具の上に再度乗って、静止状態のバランスを取り続け、次いで、所定時間経過後、バランス状態を維持したまま降りたりする動作を繰り返すことにより、自然と重心位置が意識され、ひいては、体幹が強化され、長時間であってもバランスをとりながら、カップ状体幹増強冶具の上に乗ることができるようになる。
【００３８】
[第２の実施形態]
第２の実施形態は、図３（ａ）〜（ｄ）に示す１枚の凸状円盤２０を、図４（ａ）〜（ｄ）に示すように、少なくとも２枚組み合わせてなる平板状体幹増強冶具３０であって、凸状円盤２０の直径（Ｌ）を３０〜１５０ｍｍの範囲内の値とし、かつ、凸状円盤の厚さ（Ｈ）を５〜２０ｍｍの範囲内の値とすることを特徴とする平板状体幹増強冶具３０である。
なお、図３（ａ）が、凸状円盤２０の上面図、図３（ｂ）が、凸状円盤２０の側面図、図３（ｃ）が、凸状円盤２０の裏面図、および、図３（ｄ）が、凸状円盤２０の斜視図であり、図４（ａ）が、２枚組み合わせてなる平板状体幹増強冶具３０の側面図、図４（ｂ）が、２枚組み合わせてなる平板状体幹増強冶具３０の斜視図、図４（ｃ）が、３枚組み合わせてなる平板状体幹増強冶具３０の側面図、および図４（ｄ）が、３枚組み合わせてなる平板状体幹増強冶具３０の斜視図である。
以下、第２の実施形態の平板状体幹増強冶具３０およびそれを構成する凸状円盤２０につき、適宜図面を参照して、具体的に説明する。
【００３９】
１．凸状円盤
（１）直径
図３（ｂ）に示すように、凸状円盤２０の直径（Ｌ）を３０〜１５０ｍｍの範囲内の値とすることを特徴とする。
この理由は、このような直径であれば、乗りやすさと、体幹増強効果とのバランスが良好になるためである。
より具体的には、凸状円盤の直径が３０ｍｍ未満の値になると、平板状体幹増強冶具に乗って、静止すること自体、困難となるためである。
一方、凸状円盤の直径が１５０ｍｍを超えると、あえてバランスを取る必要が無くなり、体幹増強効果が得られないためである。
したがって、円形天板の直径を５０〜１２０ｍｍの範囲内の値とすることがより好ましく、７０〜１１０ｍｍの範囲内の値とすることがさらに好ましい。
【００４０】
（２）厚さ
また、図３（ｂ）に示すように、凸状円盤２０の厚さ（ｔ）を５〜１２ｍｍの範囲内の値とすることが好ましい。
この理由は、このような凸状円盤の厚さであれば、機械的強度や耐久性と、製造容易さとのバランスが良好になるためである。
より具体的には、凸状円盤の厚さが５ｍｍ未満の値になると、平板状体幹増強冶具の機械的強度や耐久性が著しく低下する場合があるためである。
一方、凸状円盤の厚さが１２ｍｍを超えると、射出成型等による安定的な製造が困難となる場合があるためである。
したがって、凸状円盤の厚さを６〜１０ｍｍの範囲内の値とすることがより好ましく、７〜９ｍｍの範囲内の値とすることがさらに好ましい。
【００４１】
（３）縁部
また、図３（ａ）等に示すように、凸状円盤２０の周囲に沿って、縁部２２を有することが好ましい。
このような縁部２２を有することにより、配置面との間に、所定空間が形成されることから、凸状円盤２０の重量を過度に増加させることなく、厚さ（ｔ）の変更が容易になるためである。
また、凸状円盤２０の寸法精度が多少ずれたような場合であっても、縁部２２と、凸状円盤の配置面とが十分接触し、平板状体幹増強冶具３０を構成した場合の安定性が向上するためである。
さらに、このような縁部２２を有することにより、凸状円盤２０において、バネ的なクッション性が付与され、平板状体幹増強冶具３０の使い勝手や使用感が向上するためである。
その上、このような縁部２２を有することにより、別の凸状円盤の表面の端部に設けた溝またはライン状突起と、相互に嵌合するため、複数の凸状円盤２０の積層精度が向上するためである。
【００４２】
（４）材質
また、凸状円盤の材質については、第１の実施形態の円形天板の材質の項で説明したように、ポリカーボネート樹脂を主成分として、構成されていれば良く、各種添加剤を配合することも好ましい。
いずれにしても、凸状円盤の材質については、上述した円形天板の材質と、同様とすることができるので、ここでの再度の説明を省略する。
【００４３】
（５）形態
また、凸状円盤２０は、図３（ａ）等に示すように、基本的に円形であれば、若干の形態変更は可能であるが、円形に類する四角形、五角形、六角形、八角形、十角形、十二角形、二重角形、楕円形等であることも好ましい。
そして、図３（ｃ）の凸状円盤２０の裏面図に示すように、積層して使用する２枚の凸状円盤が、それぞれ相互に嵌合する溝またはライン状突起２２ｃを有することが好ましい。
この理由は、このように嵌合する溝やライン状突起、例えば、オスメス関係の溝部やライン状突起を設けることにより、複数の凸状円盤からなる平板状体幹増強冶具の位置ずれを防止し、安定性をさらに向上させることができるためである。
より具体的には、一方の凸状円盤の背面に、同心円状の溝部やライン状突起を設けておき、もう一方の別な凸状円盤の表面に、当該溝部や突起と、相互に嵌合する溝部や孔を設けておき、それによって、平板状体幹増強冶具を構成した場合の安定性を向上させることができる。
なお、嵌合する溝やライン状突起として、上述したように、凸状円盤２０の周囲に沿って設ける縁部２２を代用することも可能である。
【００４４】
（６）滑り止め部材
また、図３（ａ）等に示すように、凸状円盤２０の上面または下面に、滑り止め部材が設けてあることが好ましい。
この理由は、このように滑り止め部材を設けることにより、複数の凸状円盤の組み合わせからなる平板状体幹増強冶具の上に乗った場合に、平板状体幹増強冶具の上で滑りにくくなって、さらに体幹を意識しながらバランスをとることができるためである。
すなわち、凸状円盤の上面または下面に、滑り止め部材として、厚さ１〜１０ｍｍのゴム層、粘着剤層、クッション樹脂層、あるいは、高さ５〜１０ｍｍの表面凹凸、例えば、同心円状の溝や、円錐状突起を設けることが好ましい。
【００４５】
２．使用方法
平板状体幹増強冶具について、基本的に、第１の実施形態のカップ状体幹増強冶具と同様に静止状態においてバランスを取るように使用したり、乗り降り動作においてバランスを取るように使用したりして、重心位置を認識するとともに、体幹を、効果的かつ短期間で増強することができる。
また、凸状円盤の場合、積層する枚数を変えるだけで、高さ調整が可能なため、体幹の強さに応じて、使用方法を変えることもできる。
より具体的には、ゴルフの習熟度や腰痛の程度等に応じて、あるいは、実施するその日の体調に応じて、積層する枚数を変えて、バランスを取るための難易度を容易に変更することができる。
したがって、その変更状態において、静止状態でバランスを取るように使用したり、乗り降り動作においてバランスを取るように使用したりすることができ、要するに、個人の状況に応じて、平板状体幹増強冶具の使用方法をきめ細かく変えることができる。
【実施例】
【００４６】
以下、実施例を挙げて、本発明のカップ状体幹増強冶具および平板状体幹増強冶具をさらに詳細に説明する。但し、本発明は、特段の理由なく以下の実施例の記載に制限されるものではない。
【００４７】
[実施例１〜３]
１．カップ状体幹増強冶具の製造
（１）工程１
カップ状体幹増強冶具を製造するための所定形状の金型を、炭素鋼を構成材料として、二個取りのツープレート型金型（凸型と凹型）として作成した。
なお、実施例１では、図１（ａ）〜（ｄ）に示すタイプのカップ状体幹増強冶具を製造するための所定形状の金型を作成し、実施例２では、図２（ａ）〜（ｄ）に示すタイプのカップ状体幹増強冶具を製造するための所定形状の金型を作成し、実施例３では、図示しないものの、所定形状のカップ状体幹増強冶具を製造するための所定形状の金型を作成した。
【００４８】
（２）工程２
次いで、射出成型装置に作成した金型を装着するとともに、加熱して、着色ポリカーボネート樹脂ペレット（バイエル社製、マクロロン２４０５）を溶融状態にした後、ノズル温度３００℃、圧力１００ＭＰａの射出条件で、金型のゲート注入口から、１００℃に保持した金型内部に、約１秒間、墳出させて、所定のカップ状体幹増強冶具を製造した。
【００４９】
すなわち、実施例１では、図１（ａ）〜（ｄ）に示すように、中心に向かって、凸状に湾曲している円形天板を備えたカップ状体幹増強冶具（円形天板の直径：８０ｍｍ、円形天板の厚さ：２ｍｍ、円形天板上の滑り止め部材：高さ１ｍｍ、幅２ｍｍの同心円状のライン状突起９本、側壁の高さ：２５ｍｍ、側壁の厚さ：２ｍｍ、補強用リブ：６個、重量：約５６ｇ）を射出成型して、製造した。
【００５０】
また、実施例２では、図２（ａ）〜（ｄ）に示すように、中心に向かって、凸状に湾曲している円形天板を備えたカップ状体幹増強冶具（円形天板の直径：５５ｍｍ、円形天板の厚さ：２ｍｍ、円形天板の表面凹凸：無し、側壁の高さ：４０ｍｍ、側壁の厚さ：２ｍｍ、補強用リブ：６個、重量：約４０ｇ）を射出成型して、製造した。
【００５１】
さらに、実施例３では、図示しないものの、平坦な円形天板を備えたカップ状体幹増強冶具（円形天板の直径：５０ｍｍ、円形天板の厚さ：２ｍｍ、円形天板の表面凹凸：無し、側壁の高さ：４０ｍｍ、側壁の厚さ：２ｍｍ、補強用リブ：６個、重量：約３４ｇ）を射出成型して、製造した。
【００５２】
２．カップ状体幹増強冶具の評価
得られたカップ状体幹増強冶具につき、以下の測定を行い、評価した。
【００５３】
（１）軽量性
得られたカップ状体幹増強冶具の重量を測定し、下記基準に準じて、軽量性を評価した。
◎：１００ｇ以下である。
○：２００ｇ以下である。
△：３００ｇ以下である。
×：３００ｇ超である。
【００５４】
（２）耐久性
得られたカップ状体幹増強冶具を、接触面（コンクリート）の上に２個配置し、さらにその上に、所定荷重（２００ｋｇｆ）の鉄板を載せて静置し、下記基準に準じて、耐久性を評価した。
◎：２４時間以上載せても、カップ状体幹増強冶具は特に変形しない。
○：１２時間以上載せても、カップ状体幹増強冶具は特に変形しない。
△：６時間以上載せても、カップ状体幹増強冶具は特に変形しない。
×：６時間未満で、カップ状体幹増強冶具が変形する。
【００５５】
（３）静止時間
得られたカップ状体幹増強冶具を、床面（アクリル絨毯）の上に２個配置し、その上に、乗って、静止時間を測定し、下記基準に準じて、評価した。
なお、治験者として、Ｍ１〜Ｍ５の男女５人の大人が行い、静止時間の平均値を算出し、評価した。
◎：３分以上、静止することができる。
○：１分以上、静止することができる。
△：２０秒以上、静止することができる。
×：２０秒以上、静止することができない。
【００５６】
（４）ゴルフスイング評価
得られたカップ状体幹増強冶具を、芝面の上に２個配置し、その上に治験者であるＭ１〜Ｍ５の男女５人が、それぞれ３分間、乗った状態で、バランスをとりながら静止した。
次いで、ゴルフクラブ（５番アイアン）を使用して、ゴルフボールを３０打球し、下記基準に準拠して、ゴルフスイング評価をした。
◎：全員のゴルフスイングの軌道が安定し、飛距離が伸びた。
○：全員のゴルフスイングの軌道が安定したが、飛距離はほとんど変化しなかった。
△：全員のゴルフスイングの軌道も安定せず、飛距離はほとんど変化しなかった。
×：全員のゴルフスイングの軌道がより不安定になって、飛距離が落ちた。
【００５７】
（５）腰痛治癒性
得られたカップ状体幹増強冶具を、床面（アクリル絨毯）の上に２個配置し、その上に治験者（腰痛患者）であるＭ１〜Ｍ５の男女５人が、それぞれ３分間、乗った状態で、バランスをとりながら静止した。
次いで、カップ状体幹増強冶具から下り、その直後に、腰を曲げた状態で、皿洗い（１０枚）を行い、腰痛治癒性を、下記基準で評価した。
◎：全員が腰痛を感じることなく、１０枚全てを洗い終えた。
○：全員がほとんど腰痛を感じることなく、１０枚全てを洗い終えた。
△：全員が腰痛を一部感じながらも、１０枚全てを洗い終えた。
×：全員が腰痛を感じ、１０枚全てを洗い終えることができなかった。
【００５８】
[比較例１]
比較例１においては、平坦な円形天板を備えたカップ状体幹増強冶具（円形天板の直径：２７ｍｍ、円形天板の厚さ：２ｍｍ、円形天板の表面凹凸：無し、側壁の高さ：１５ｍｍ、側壁の厚さ：２ｍｍ、補強用リブ：６個、重量：約２０ｇ）を射出成型して、製造し、実施例１と同様に、静止時間等を評価した。
【００５９】
[比較例２]
比較例２においては、平坦な円形天板を備えたカップ状体幹増強冶具（円形天板の直径：２００ｍｍ、円形天板の厚さ：２ｍｍ、円形天板の表面凹凸：無し、側壁の高さ：５０ｍｍ、側壁の厚さ：２ｍｍ、補強用リブ：６個、重量：約１５０ｇ）を射出成型して、製造し、実施例１と同様に、静止時間等を評価した。
【００６０】
[実施例４]
実施例４においては、図４に示すタイプの凸状円盤（直径：１１０ｍｍ、厚さ：１５ｍｍ、滑り止め部材：高さ１ｍｍ、幅２ｍｍの同心円状溝１３本、重量：約５０ｇ）を６枚、同時に射出成型した。
次いで、凸状円盤を３枚ずつ重ねて、高さが３０ｍｍの右足用平板状体幹増強冶具および左足用平板状体幹増強冶具として構成し、実施例１と同様に、静止時間等を評価した。
【００６１】
[実施例５]
実施例５においては、それぞれ、凸状円盤を４枚ずつ重ねて、高さが３５ｍｍの右足用平板状体幹増強冶具および左足用平板状体幹増強冶具として構成し、実施例１と同様に、静止時間等を評価した。
【００６２】
【表１】
2014188123.tif 000003
評価１：軽量性
評価２：耐久性
評価３：静止時間
評価４：ゴルフスイング性
評価５：腰痛治療性
【産業上の利用可能性】
【００６３】
以上、詳述したように、本発明のカップ状体幹増強冶具および平板状体幹増強冶具によれば、軽量かつ簡易構成の体幹増強冶具であっても、基本的にバランスをとりながら、その上に乗るだけで、体幹が効果的に鍛えられて、その結果、腰痛が治癒したり、ゴルフスイングの軌道が安定したりするなどの効果が得られるようになった。
よって、本発明のカップ状体幹増強冶具および平板状体幹増強冶具は、腰痛治癒器やゴルフ練習器等に利用されることが期待される。
【符号の説明】
【００６４】
１０、１０´：カップ状体幹増強冶具
１２、１２´：円形天板
１２ａ、１２ａ´：円形天板の中心
１２ｂ、１２ｂ´：同心円状溝（滑り止め部材）
１４、１４´：側壁
１６、１６´：底部
１８、１８´：補強用リブ
２０：凸状円盤
２２：縁部
２２ａ：凸状円盤の中心
２２ｂ：同心円状溝（滑り止め部材）
２４：平板状体幹増強冶具
【図１】
2014188123.tif 000004
【図２】
2014188123.tif 000005
【図３】
2014188123.tif 000006
【図４】
2014188123.tif 000007
【図５】
2014188123.tif 000008
【図６】
2014188123.tif 000009